(57)【要約】【課題】細長いスティック状の吸殻を無造作に投入しても多量に収容でき、また、これを廃棄するのも簡単な自動車用灰皿を提供する。【解決手段】吸殻収容部１２は、筒状の容器本体１６と、容器本体１６の下端部に設けられた底蓋２０と、容器本体１６内に収容され、縦方向に対して傾斜して配設された仕切片１８ａ（〜１８ｄ）によって容器本体１６の内部空間を仕切って吸殻収容空間２４ａ（〜２４ｄ）とする仕切り部材１８とを有しており、吸殻収容空間２４ａ（〜２４ｄ）は、仕切片１８ａ（〜１８ｄ）、底蓋２０の傾斜底面２０ａ（〜２０ｄ）および容器本体１６の内側面によって囲まれ、仕切片１８ａ（〜１８ｄ）の傾斜上面１９ａ（〜１９ｄ）の下辺と容器本体１６の内側面とのコーナー部分Ｘの傾斜底面２０ａ（〜２０ｄ）が最深部となるように、コーナー部分Ｘに向けて傾斜底面２０ａ（〜２０ｄ）を下り傾斜に設けていることを特徴とする。【選択図】図１
2020116971.tif 000002
【特許請求の範囲】
【請求項１】
加熱式煙草の吸殻が収納される吸殻収容部を有する自動車用灰皿であって、
前記吸殻収容部は、
筒状の容器本体と、前記容器本体の下端部に設けられた底蓋と、
前記容器本体内に収容され、縦方向に対して傾斜して配設された仕切片によって前記容器本体の内部空間を仕切って吸殻収容空間とする仕切り部材とを有しており、
前記各吸殻収容空間は、前記仕切片、前記底蓋の傾斜底面および前記容器本体の内側面によって囲まれ、
前記仕切片の傾斜上面の下辺と前記容器本体の内側面とのコーナー部分の前記傾斜底面が最深部となるように、前記コーナー部分に向けて前記傾斜底面を下り傾斜に設けていることを特徴とする自動車用灰皿。
【請求項２】
前記吸殻収容部には、前記吸殻収容部の上面開口部を覆う蓋体が起倒可能に設けられており、
前記蓋体の上面には、加熱式煙草加熱用の専用加熱器具に電力を供給するための加熱器具用給電端子が設けられていることを特徴とする請求項１に記載の自動車用灰皿。
【請求項３】
前記吸殻収容部には、前記吸殻収容部の上面開口部を覆う蓋体が起倒可能に設けられており、
前記蓋体の底面には、前記蓋体を開いた時に、前記容器本体の上面開口部を照らす照明部が設けられていることを特徴とする請求項１に記載の自動車用灰皿。
【発明の詳細な説明】
【技術分野】
【０００１】
本発明は、加熱式煙草の吸殻を捨てるのに適した自動車用の灰皿に関する。
【背景技術】
【０００２】
近年、紙巻煙草と比べて健康への悪影響が少なく、また、副流煙が発生しない等の理由から、加熱式煙草への人気が高まっている。
【０００３】
加熱式煙草は、紙巻煙草状の細長いスティックを専用の喫煙具に差し込み、喫煙具でスティックを電気的に加熱することで蒸気を発生させ、ニコチンなどの成分を吸引するというものである。
【０００４】
加熱式煙草では、紙巻煙草のように煙草葉を燃焼させるのではなく、加熱して使用するため灰は出ないが、吸い終えた後のスティックはゴミとして捨てる必要がある。そのため、自動車の車室内で加熱式煙草を吸う際も、紙巻煙草を吸うときと同様に自動車用の灰皿が必要とされる。
【０００５】
従来の自動車用灰皿は、有底筒状で上部が開口した容器本体と、容器本体に開閉可能に取り付けられた蓋体とを有し、容器本体の開口部に消火部材を設けた構造のものが一般的であり、ドリンクホルダに装着して使用される（特許文献１参照）。
【先行技術文献】
【特許文献】
【０００６】
【特許文献１】特開２００４−１８９１９９号公報（図１）
【発明の概要】
【発明が解決しようとする課題】
【０００７】
吸殻を自動車用灰皿に捨てる際、紙巻煙草の場合は、煙草葉部分が燃えて灰になるため、容器本体内に廃棄するのは短い吸い口部分だけになる。したがって、容器本体内に短い吸殻（吸い口部分）を廃棄しても、これらが嵩張ってすぐにいっぱいになるようなことはない。
【０００８】
一方、加熱式煙草の場合は、吸殻が細長いスティックであるため、吸殻を容器本体内に無造作に廃棄すると、吸殻が容器本体内でランダムな方向に向いて吸殻同士が互いに折重なり、数本投入しただけで容器本体内がいっぱいになってしまう。もちろん、吸殻（細長いスティック）を規則正しく整列させながら廃棄すれば数多く収容することも可能ではあるが、車の運転中にそのようなことを行うのは現実的でないし、仮に出来たとしても、その作業が大変煩わしいという問題がある。
【０００９】
また、容器本体内に収容されている吸殻（細長いスティック）が折重なっていると、これをゴミ箱に廃棄するために取り出す作業も一苦労である。
【００１０】
本発明は、掛かる従来の問題点に鑑みてなされたもので、細長いスティック状の吸殻を無造作に投入しても吸殻が容器本体内で自動的に一方向に整列し、これにより多量に収容でき、また、これを廃棄するのも簡単な自動車用灰皿を提供する。
【課題を解決するための手段】
【００１１】
請求項１に記載した発明は、加熱式煙草の吸殻Ｃが収納される吸殻収容部１２を有する自動車用灰皿１０であって、前記吸殻収容部１２は、
筒状の容器本体１６と、
前記容器本体１６の下端部に設けられた底蓋２０と、
前記容器本体１６内に収容され、縦方向に対して傾斜して配設された仕切片１８ａ（〜１８ｄ）によって前記容器本体１６の内部空間を仕切って吸殻収容空間２４ａ（〜２４ｄ）とする仕切り部材１８とを有しており、
前記吸殻収容空間２４ａ（〜２４ｄ）は、前記仕切片１８ａ（〜１８ｄ）、底蓋２０の傾斜底面２０ａ（〜２０ｄ）および容器本体１６の内側面によって囲まれ、
前記仕切片１８ａ（〜１８ｄ）の傾斜上面１９ａ（〜１９ｄ）の下辺と前記容器本体１６の内側面とのコーナー部分Ｘの前記傾斜底面２０ａ（〜２０ｄ）が最深部となるように、前記コーナー部分Ｘに向けて前記傾斜底面２０ａ（〜２０ｄ）を下り傾斜に設けていることを特徴とする。
【００１２】
請求項２は、請求項１の自動車用灰皿１０において、吸殻収容部１２には、吸殻収容部１２の上面開口部を覆う蓋体１４が起倒可能に設けられており、蓋体１４の上面には、加熱式煙草加熱用の専用加熱器具Ａに電力を供給するための加熱器具用給電端子３０が設けられていることを特徴とする。
【００１３】
請求項３は、請求項１の自動車用灰皿１０において、吸殻収容部１２には、吸殻収容部１２の上面開口部を覆う蓋体１４が起倒可能に設けられており、蓋体１４の底面には、蓋体１４を開いた時に、容器本体１６の上面開口部を照らす照明部４２が設けられていることを特徴とする。
【発明の効果】
【００１４】
本発明において、仕切片１８ａ（〜１８ｄ）の傾斜上面１９ａ（〜１９ｄ）の下辺と容器本体１６の内側面とのコーナー部分Ｘの傾斜底面２０ａ（〜２０ｄ）が、容器本体１６における最深部となるように、コーナー部分Ｘに向けて傾斜底面２０ａ（〜２０ｄ）を下り傾斜に設けている。従って、吸殻収容空間２４ａ（〜２４ｄ）に吸殻Ｃを投入すると、投入された吸殻Ｃの下端部が傾斜底面２０ａ（〜２０ｄ）上を、最深部であるコーナー部分Ｘに向かって滑り落ちる。これによって、吸殻Ｃは最深部であるコーナー部分Ｘを中心として仕切片１８ａの傾斜上面１９ａ（〜１９ｄ）側に倒れこみ、自動的に揃っていくことになる。
【００１５】
また、蓋体１４の上面に加熱器具用給電端子３０が設けられていることにより、加熱式煙草の専用加熱器具Ａを充電することが可能である。また、蓋体１４の底面に容器本体１６の上面開口部分を照らす照明部４２が設けられていることにより、夜間走行中でも吸殻収容空間２４ａ（〜２４ｄ）の位置を容易に把握することができる。
【図面の簡単な説明】
【００１６】
【図１】本発明に係る自動車用灰皿の開蓋状態を示す斜視図である。
【図２】自動車用灰皿の分解斜視図である。
【図３】自動車用灰皿（吸殻収容部）の平面視である。
【図４】自動車用灰皿の要部断面図である。
【図５】使用状態を示す図である。
【図６】本発明に係る自動車用灰皿の他の実施例の分解斜視図である。
【発明を実施するための形態】
【００１７】
以下、本発明を図面に従って説明する。図１は、本発明にかかる自動車用灰皿１０を示す斜視図であり、図２はその分解斜視図である。これらの図が示すように、本発明の自動車用灰皿１０は、仕切り部材１８を有する吸殻収容部１２および蓋体１４により大略構成されている。
【００１８】
吸殻収容部１２は、吸い終えた加熱式煙草の細長いスティック（以下、「吸殻」という）Ｃを収容する部分で、容器本体１６、仕切り部材１８、底蓋２０およびフレーム２２の４部材にて大略構成されている。
【００１９】
容器本体１６は、断面が円形の筒状部材で、その外径が下方に向かうにしたがって漸減しており、この容器本体１６内に仕切り部材１８が収容されている。
【００２０】
仕切り部材１８の第１実施例は、容器本体１６の内部空間を複数（本実施例では４つ）の吸殻収容空間２４ａ〜２４ｄに仕切るもので、本実施例では、４枚の仕切片１８ａ〜１８ｄが組み合わされた形状となっており、平面視で見たときには、隣り合う仕切片１８ａ〜１８ｄ同士が風車のように互いに反時計周り方向に略９０度の角度をもって配置され、且つ、側面から見たときには各仕切片１８ａ〜１８ｄが容器本体１６の内部空間における縦方向に対して所定の角度（本実施例では縦方向に対して約１０度にて設定されている）で傾斜するように組み合わせされており、これらが１つの部材として一体的に形成されている。各仕切片１８ａ〜１８ｄの上面（平面視で見たときに見える側の面）は、吸殻Ｃ収容時に吸殻Ｃが整列する傾斜上面１９ａ〜１９ｄである。
【００２１】
容器本体１６の底部には、底蓋２０が着脱可能に嵌め込まれている。したがって、底蓋２０を容器本体１６から取り外すことにより、容器本体１６内に溜まった吸殻Ｃを容器本体１６の底から捨てることができる。（勿論、底蓋２０を容器本体１６に一体的に構成することも可能であり、その場合は容器本体１６を逆さにすれば、その上面開口部から捨てることができる。）
【００２２】
底蓋２０の上面には、４つの傾斜底面２０ａ〜２０ｄが形成されている。各傾斜底面２０ａ〜２０ｄは、隣合う傾斜底面２０ａ〜２０ｄ同士が風車のように互いに９０度の角度を以って設置されている。
【００２３】
４枚の仕切片１８ａ〜１８ｄと４つの傾斜底面２０ａ〜２０ｄとの関係は、図１〜図３から分かるように、４枚の仕切片１８ａ〜１８ｄの各下辺が、底蓋２０の中心部分から放射状に伸びる傾斜底面２０ａ〜２０ｄの三角形の側面に合わせて取り付けられ、４枚の仕切片１８ａ〜１８ｄ）、底蓋２０の４つの傾斜底面２０ａ〜２０ｄ及び容器本体１６の内側面によって４つの吸殻収容空間２４ａ〜２４ｄが形成される。なお、４枚の仕切片１８ａ〜１８ｄの側辺は、図示しない回り止めによって容器本体１６に固定されている。
【００２４】
これにより、傾斜底面２０ａ〜２０ｄの傾斜方向は、容器本体１６の内周面と仕切り部材１８の各仕切片１８ａ〜１８ｄの下辺とのコーナー部分Ｘ（図２〜図３における網掛部分）に向けて下り傾斜に設けられ、該コーナー部分Ｘが容器本体１６の最深部となるようになっている。
【００２５】
容器本体１６の上面開口部には、フレーム２２が装着されており、図１に示すように、仕切り部材１８の上辺外側角部がフレーム２２の下辺に当接し、これにより、容器本体１６内に収容された仕切り部材１８の上下方向への移動が規制されている。
【００２６】
なお、吸殻収容部１２を構成している各部材（容器本体１６、仕切り部材１８、フレーム２２ならびに底蓋２０）の材質としては、例えば、ＡＢＳ樹脂やポリカーボネート樹脂といった汎用の合成樹脂、或いはガラス繊維が添加されたポリエチレンテレフタレートといった難燃性樹脂などが採用される。
【００２７】
フレーム２２の後端部には、蓋体１４が回動軸２４を介して起倒可能に取り付けられている。蓋体１４は、フレーム２２の上面開口部を覆う円盤状の部材で、その中央部分には、加熱器具用給電部２６が形成されている。
【００２８】
加熱器具用給電部２６は、加熱式煙草の専用加熱器具Ａ（図４参照）に対して給電を行うための部分で、その挿入開口部２８は、専用加熱器具Ａの外形に合わせて長孔状に形成されている。
【００２９】
加熱器具用給電部２６の挿入開口部２８の中央部分には、加熱器具用給電端子３０（本実施例では、専用加熱器具Ａのメス側給電端子に対応するオス側給電端子）が突設されており、この加熱器具用給電端子３０以外の部分が、弾発バネ３４によって弾発的に支持された板状のカバー部材３２によって覆われている（図３参照）。通常状態においては、カバー部材３２の上面と加熱器具用給電端子３０の上端とが略面一となるように設定されているが、カバー部材３２を弾発バネ３４の弾発力に抗して押下げると、加熱器具用給電端子３０が露出することになる。
【００３０】
蓋体１４における加熱器具用給電部２６の近傍（回動軸２４側）には、受電用端子３６（本実施例では、メス側のｍｉｃｒｏＵＳＢ端子）が設けられており、上述した加熱器具用給電部２６や後述する照明部であるＬＥＤ４０と電気的に結線されている。
【００３１】
蓋体１４の底面には、照明用のレンズ３８がはめ込まれており、このレンズ３８の上部にＬＥＤ４０が配設されている。ＬＥＤ４０は、上述したように受電用端子３６と電気的に接続されており、ＬＥＤ４０からの光がレンズ３８を通過して容器本体１６の上面開口部分を照らすことができるようになっている。なお、レンズ３８とＬＥＤ４０が、容器本体１６の上面開口部分を照らす「照明部４２」として機能する。
【００３２】
以上のように構成された自動車用灰皿１０を用いて加熱式煙草の吸殻Ｃを吸殻収容部１２（より詳しくは、容器本体１６の各吸殻収容空間２４ａ〜２４ｄ内）に捨てる際は、まず、蓋体１４を開いて容器本体１６の吸殻収容空間２４ａ〜２４ｄの上面開口部分を露出させる（図１）。このとき、受電用端子３６に給電ケーブルＢ（図４参照）を接続しておけば、ＬＥＤ４０に電力が供給されて発光し、照明部４２が容器本体１６の上面開口部分を照らす。具体的には、ＬＥＤ４０からの光がレンズ３８を通過して容器本体１６の上面開口部分を照らすので、夜間走行時での使用であっても各吸殻収容空間２４ａ〜２４ｄの位置を容易に確認できる。
【００３３】
今、４つの吸殻収容空間２４ａ〜２４ｄのうち、第１の吸殻収容空間２４ａに１本目の吸殻Ｃ１を投入する場合を考える。第１の吸殻収容空間２４ａは、仕切り部材１８の下り傾斜している仕切片１８ａ、底蓋２０の下り傾斜している傾斜底面２０ａおよび容器本体１６の凹湾曲した内側面に囲まれている。そして、仕切片１８ａの下辺と容器本体１６の内側面のコーナー部分Ｘが第１の吸殻収容空間２４ａの中で最深部となっている。従って、吸殻Ｃ１が第１の吸殻収容空間２４ａに投入されると、色々な態様を取って（例えば、吸殻Ｃ１の下端が傾斜底面２０ａを滑って）吸殻Ｃ１の下端部がこの最深部に嵌り込む。そして、下り傾斜している仕切片１８ａ側に倒れこみ、仕切片１８ａの傾斜上面１９ａ上を容器本体１６の凹湾曲した内側面側に転び、最終的に容器本体１６の凹湾曲した内側面と仕切片１８ａの側辺との接する境界部分に嵌まり込む。
【００３４】
次に、２本目の吸殻Ｃ２を第１の吸殻収容空間２４ａに投入すると、吸殻Ｃ２の下端が上述同様、最深部に嵌り、１本目の吸殻Ｃ１の近傍部分を中心として下り傾斜している仕切片１８ａ側に向かって倒れる。これにより、２本目の吸殻Ｃ２が１本目の吸殻Ｃ１に沿って自動的に並ぶことになる。
【００３５】
このようにして、第１の吸殻収容空間２４ａに新たに投入される吸殻Ｃは、既に投入されている吸殻Ｃに沿って、順次、自動的に整列しながら収容されていくので、第１の吸殻収容空間２４ａ内に吸殻Ｃを隙間なく収容することができる。このことは、残りの吸殻収容空間２４ｂ〜２４ｄにおいても同様である。
【００３６】
このように、各吸殻収容空間２４ａ〜２４ｄに投入される吸殻Ｃは、その前に投入されている吸殻Ｃに沿って、順次、自動的に整列しながら収容されていくので、従来のように細長い吸殻Ｃ同士が互いに折重なって容器本体内がすぐにいっぱいになるようなことはなく、多数本収容することができる。また、各吸殻収容空間２４ａ〜２４ｄ内に収容されている細長い吸殻Ｃは綺麗に整列されていることから、その廃棄作業、すなわち、底蓋２０を取り外して容器本体１６の下端部から多量の吸殻Ｃを廃棄する作業も簡単である。（底蓋２０が取り外しできない場合は容器本体１６の上面開口部から廃棄すればよい。）
【００３７】
加熱式煙草の専用加熱器具Ａを充電する際は、蓋体１４を閉じ、専用加熱器具Ａを加熱器具用給電部２６に載置すればよい（図５参照）。具体的には、専用加熱器具Ａをカバー部材３２の上に移動させてそのまま下へ押し込む。すると、カバー部材３２が弾発バネ３４に抗して押下げられるとともに加熱器具用給電端子３０が現れ、この加熱器具用給電端子３０が専用加熱器具Ａ底面の受電端子（図示省略）に挿入され、受電用端子３６に接続された給電ケーブルＢを介して外部電源から電力が供給される。
【００３８】
なお、上述実施例では、容器本体１６の内部空間が４つの吸殻収容空間２４ａ〜２４ｄに仕切られている場合について説明したが、各吸殻収容空間２４ａ・・・が仕切り部材１８の下り傾斜した仕切片１８ａ・・・、底蓋２０の下り傾斜した傾斜底面２０ａ・・・、および容器本体１６の凹湾曲した内側面によって囲まれていればよく、例えば、図６に示すように容器本体１６の内部空間を２つに仕切るようにしてもよいし、或いは３つや５つ以上に仕切るようにしてもよいし、容器本体１６の内部空間を１つだけ仕切るようにしてもよい。
【符号の説明】
【００３９】
１０：自動車用灰皿、１２：吸殻収容部、１４：蓋体、１６：容器本体、１８：仕切り部材、１８ａ〜１８ｄ：仕切片、１９ａ〜１９ｄ：（仕切片の）傾斜上面、２０：底蓋、２０ａ〜２０ｄ：傾斜底面、２２：フレーム、２４ａ〜２４ｄ：吸殻収容空間、２４：回動軸、２６：加熱器具用給電部、２８：挿入開口部、３０：加熱器具用給電端子、３５：カバー部材、３４：弾発バネ、３６：受電用端子、３８：レンズ、４０：ＬＥＤ、４２：照明部、Ａ：（加熱式煙草の）専用加熱器具、Ｂ：給電ケーブル、Ｃ：吸殻、Ｘ：コーナー部分
【図１】
2020116971.tif 000003
【図２】
2020116971.tif 000004
【図３】
2020116971.tif 000005
【図４】
2020116971.tif 000006
【図５】
2020116971.tif 000007
【図６】
2020116971.tif 000008